(57)【要約】【課題】各基地局から送信されるＤＰＣＨを端末側で合成する必要性の有無を、より効率的に判定してＲａｋｅ合成の対象とするか否かの判断を行う。【解決手段】基地局から送信される個別の物理チャネルであるＤＰＣＨおよび基地局内共通のパイロットチャネルであるＣＰＩＣＨを受信し、逆拡散およびＲａｋｅ合成すべき受信信号の複数のパスをサーチしてそれぞれの受信タイミングに合わせて前記受信した信号の逆拡散処理を逆拡散部１０４−１〜１０４−Ｎで行い、逆拡散処理された複数の信号をＲａｋｅ合成部１０５で合成する際に、前記逆拡散処理された信号にそれぞれ含まれているＤＰＣＨ-ｐｉｌｏｔシンボルの信頼性を判定し、信頼性のあるＤＰＣＨ-ｐｉｌｏｔシンボルが含まれている逆拡散信号をＲａｋｅ合成すべき受信信号として選択して、ソフトハンドオーバーを行う。【選択図】図１
2008061190.tif 000002
【特許請求の範囲】
【請求項１】
基地局から送信される個別の物理チャネルであるＤＰＣＨ(Dedicated Physical Channel)および基地局内共通のパイロットチャネルであるＣＰＩＣＨ（Common Pilot Channel）を受信して、逆拡散およびＲａｋｅ合成すべき受信信号の複数のパスをサーチし、該複数のパスの受信タイミングをそれぞれ検出するパスサーチ手段と、前記パスサーチ手段で検出された複数の受信タイミングに合わせて前記受信した信号の逆拡散処理をそれぞれ行う複数の逆拡散手段と、前記複数の逆拡散手段から出力された信号を合成して受信データとして出力するＲａｋｅ合成手段を備えたＣＤＭＡ方式携帯無線端末装置において、
前記Ｒａｋｅ合成手段は、前記複数の逆拡散手段から出力される信号にそれぞれ含まれているＤＰＣＨ-ｐｉｌｏｔシンボルの状態を判定するＤＰＣＨ-ｐｉｌｏｔシンボル判定手段と、該ＤＰＣＨ-ｐｉｌｏｔシンボル判定手段による判定結果に基づいて前記複数の逆拡散手段から出力された信号の中からＲａｋｅ合成すべき受信信号を選択するパス選択手段と、を備えていることを特徴とするＣＤＭＡ方式携帯無線端末装置。
【請求項２】
前記ＤＰＣＨ−ｐｉｌｏｔシンボル判定手段は、前記各逆拡散手段から出力される信号に含まれている前記ＤＰＣＨのＰｉｌｏｔシンボルと前記ＣＰＩＣＨのシンボルデータを基地局毎にタイミングをそろえて合成する機能と、基地局毎に合成された前記ＤＰＣＨのｐｉｌｏｔシンボルとＣＰＩＣＨのシンボルデータを１スロット単位でそれぞれ同相加算する機能と、前記１スロット単位で同相加算された前記ＤＰＣＨのｐｉｌｏｔシンボルと前記ＣＰＩＣＨのシンボルデータの位相差が所定の範囲内にあるか否かを確認する機能と、前記位相差が所定の範囲内にあるスロットの割合が予め設定したスロット区間において予め設定した目標値よりも大きいとき、前記基地局をＲａｋｅ合成の対象と判定する機能を備えていることを特徴とする請求項１に記載のＣＤＭＡ方式携帯無線端末装置。
【請求項３】
前記ＤＰＣＨ-ｐｉｌｏｔシンボル判定手段は、前記各逆拡散手段から出力される信号に含まれている前記ＤＰＣＨのＰｉｌｏｔシンボルと前記ＣＰＩＣＨのシンボルデータを１スロット単位でそれぞれ同相加算する機能と、前記１スロット単位で同相加算された前記ＤＰＣＨのｐｉｌｏｔシンボルと前記ＣＰＩＣＨのシンボルデータの位相差が所定の範囲内にあるか否かを確認する機能と、前記位相差が所定の範囲内にあるスロットの割合が予め設定したスロット区間において予め設定した目標値よりも大きいとき、当該逆拡散手段から出力される受信信号をＲａｋｅ合成の対象と判定する機能を備えていることを特徴とする請求項１に記載のＣＤＭＡ方式携帯無線端末装置。
【請求項４】
前記ＤＰＣＨ-ｐｉｌｏｔシンボル判定手段は、前記逆拡散手段から出力される信号に含まれている前記ＤＰＣＨのＰｉｌｏｔのシンボルデータを一定区間に亘って確認する機能と、前記ＤＰＣＨのＰｉｌｏｔのシンボルデータが正しい位置にある割合が前記一定区間において予め設定した目標値よりも大きいとき、当該逆拡散手段から出力される信号をＲａｋｅ合成の対象と判定する機能を備えていることを特徴とする請求項１に記載のＣＤＭＡ方式携帯無線端末装置。
【請求項５】
基地局から送信される個別の物理チャネルであるＤＰＣＨ(Dedicated Physical Channel)および基地局内共通のパイロットチャネルであるＣＰＩＣＨ（Common Pilot Channel）を受信し、逆拡散およびＲａｋｅ合成すべき受信信号の複数のパスをサーチしてそれぞれの受信タイミングに合わせて前記受信した信号の逆拡散処理をそれぞれ行い、該逆拡散処理された複数の信号をＲａｋｅ合成する際に、前記逆拡散処理された信号にそれぞれ含まれているＤＰＣＨ-ｐｉｌｏｔシンボルの状態を判定することにより、Ｒａｋｅ合成すべき受信信号を選択することを特徴とするソフトハンドオーバー制御方法。
【請求項６】
前記逆拡散された各信号に含まれている前記ＤＰＣＨのＰｉｌｏｔシンボルと前記ＣＰＩＣＨのシンボルデータを基地局毎にタイミングをそろえて合成し、該合成された基地局毎の前記ＤＰＣＨのＰｉｌｏｔシンボルと前記ＣＰＩＣＨのシンボルデータを１スロット単位でそれぞれ同相加算し、該同相加算された前記ＤＰＣＨのｐｉｌｏｔシンボルと前記ＣＰＩＣＨのシンボルデータ間の位相差が正常な範囲内にあるスロットの割合が予め設定したスロット区間において予め設定した目標値よりも大きいとき、当該基地局からの受信信号をＲａｋｅ合成の対象として選択することを特徴とする請求項５に記載のソフトハンドオーバー制御方法。
【請求項７】
前記逆拡散された各信号に含まれている前記ＤＰＣＨのＰｉｌｏｔシンボルと前記ＣＰＩＣＨのシンボルデータを１スロット単位でそれぞれ同相加算し、該同相加算された１スロット単位の前記ＤＰＣＨのｐｉｌｏｔシンボルと前記ＣＰＩＣＨのシンボルデータ間の位相差が正常な範囲内にあるスロットの割合が予め設定したスロット区間において予め設定した目標値よりも大きいとき、当該基地局からの受信信号をＲａｋｅ合成の対象として選択することを特徴とする請求項５に記載のソフトハンドオーバー制御方法。
【請求項８】
前記逆拡散された各信号に含まれている前記ＤＰＣＨのＰｉｌｏｔのシンボルデータを一定区間に亘って確認し、前記ＤＰＣＨのＰｉｌｏｔのシンボルデータが正しい位置にある割合が前記一定区間において予め設定した目標値よりも大きいとき、当該基地局からの受信信号をＲａｋｅ合成の対象として選択することを特徴とする請求項５に記載のソフトハンドオーバー制御方法。
【発明の詳細な説明】
【技術分野】
【０００１】
本発明は、Ｗ-ＣＤＭＡ（Wideband-Code Division Multiple Access）方式等を用いた移動通信における携帯電話機等の携帯無線端末による基地局の切り替え技術（ソフトハンドオーバー）に関する。
【背景技術】
【０００２】
Ｗ-ＣＤＭＡ方式を用いた移動通信においては、携帯電話機等の携帯無線端末が移動することで基地局の切り替えが必要となる際に、二つ以上の基地局から時間的にオーバーラップして信号を受信することが可能であり（ソフトハンドオーバー）、それにより基地局切り替わり時の一時的な切断を生じることなく回線品質を保つことができる。
【０００３】
このソフトハンドオーバー中に、携帯無線端末は各基地局から端末毎の送信電力制御を行うための個別の物理チャネルであるＤＰＣＨ(Dedicated Physical Channel)を受信するが、そのための各パスのタイミングは通常、パイロットシンボルを常時送信している各端末共通のパイロットチャネル（ＣＰＩＣＨ；Common Pilot Channel）を用いて特定した後、そのタイミングにて各ＤＰＣＨを逆拡散して、Ｒａｋｅ合成することが一般的である。
【０００４】
しかしながら、ある基地局がリソースの問題（ＤＰＣＨのパワーをこれ以上は上げられないなど）により、ＤＰＣＨのパワーが端末まで届かない様な状態（ＣＰＩＣＨは十分なパワーで送信され端末側に届いている状態を想定）においては、携帯無線端末側から見ると、パスのタイミングはＣＰＩＣＨにより正しく判断できるが、そこにＤＰＣＨが存在していないような状況に見えてしまう。その結果Ｒａｋｅ合成をしたときに、正しく取れている信号とレベルの低い信号（実質ノイズ成分）を合成してしまうような状況が生ずる。
【０００５】
このように、Ｗ-ＣＤＭＡ通信システムにおいては、ソフトハンドオーバー中にある基地局からのＤＰＣＨパワーが携帯端末に必要なレベルで届かない場合に、当該基地局からのＤＰＣＨをＲａｋｅ合成の対象とすると、正しく取れている基地局からの信号と実質ノイズ成分に近い信号とを合成することになって、携帯無線端末の受信特性を大幅に劣化させてしまう恐れがある。
【０００６】
このような問題の解消方法として、例えば特許文献１では、複数の基地局からのＣＰＩＣＨ信号の位相に基づいて複数の基地局からの受信信号の位相を推定する位相推定手段と、複数の基地局からのＤＰＤＣＨ信号それぞれの受信電力を検出する受信電力検出手段と、前記位相推定手段により推定された位相情報を用いて前記複数基地局からのＤＰＣＨ信号を同期検波する同期検波手段と、前記受信電力検出手段により検出されたＤＰＤＣＨ信号の受信電力が所定の閾値以上となった基地局からの同期検波後のＤＰＣＨ信号のみをＲａｋｅ合成するＲａｋｅ合成手段を備えることにより、最適なＲａｋｅ合成を行う技術が提案されている。
【０００７】
【特許文献１】特開２００３−３０４１７７号公報
【発明の開示】
【発明が解決しようとする課題】
【０００８】
上記特許文献１に記載の発明では、受信電力検出手段により検出されたＤＰＤＣＨ信号の平均受信電力が所定の閾値以上となった基地局からのＦｉｎｇｅｒのみでＲａｋｅ合成を行っているが、一般に受信電力は環境要因により大きく変動し、また、ＤＰＣＨ自体が電力制御されてしまうために、平均化が難しいことなどの問題がある。
【０００９】
本発明の目的は、上記問題点に鑑み、各基地局から送信されるＤＰＣＨを端末側で合成する必要性の有無を判定してＲａｋｅ合成の対象とするか否かの判断を、より効率的に行って受信特性を改善することを可能にする新規のソフトハンドオーバー手段を提供することにある。
【課題を解決するための手段】
【００１０】
Ｗ-ＣＤＭＡ方式においては、ユーザが実際に通信を行う際に使用される物理チャネルであるＤＰＣＨ内に、送信データの変調位相がＣＤＭＡの受信機側において予め既知であるパイロットシンボル（ＤＰＣＨ-ｐｉｌｏｔ）が含まれている。そこで、本発明は上記問題の対策として、各基地局から送信されるＤＰＣＨを、端末側で合成する必要性の有無を判定するための材料として、ＤＰＣＨ内のＰｉｌｏｔシンボル状態を確認した上でＲａｋｅ合成の対象とするか否かの判断を行う制御を提案するものである。
【００１１】
具体的には、本発明は、基地局から送信される個別の物理チャネルであるＤＰＣＨ(Dedicated Physical Channel)および基地局内共通のパイロットチャネルであるＣＰＩＣＨ（Common Pilot Channel）を受信して、逆拡散およびＲａｋｅ合成すべき受信信号の複数のパスをサーチし、該複数のパスの受信タイミングをそれぞれ検出して出力するパスサーチ手段と、前記パスサーチ手段で検出された複数の受信タイミングに合わせて前記受信した信号の逆拡散処理をそれぞれ行う複数の逆拡散手段と、前記複数の逆拡散手段から出力された信号を合成して受信データとして出力するＲａｋｅ合成手段を備えたＣＤＭＡ方式携帯無線端末装置において、前記Ｒａｋｅ合成手段は、前記複数の逆拡散手段から出力される信号にそれぞれ含まれているＤＰＣＨ-ｐｉｌｏｔシンボルの状態を判定するＤＰＣＨ-ｐｉｌｏｔシンボル判定手段と、該ＤＰＣＨ-ｐｉｌｏｔシンボル判定手段による判定結果に基づいて前記複数の逆拡散手段から出力された信号の中からＲａｋｅ合成すべき受信信号を選択するパス選択手段と、を備えていることを特徴としている。
【００１２】
前記ＤＰＣＨ−ｐｉｌｏｔシンボル判定手段は、前記各逆拡散手段から出力される信号に含まれている前記ＤＰＣＨのＰｉｌｏｔシンボルと前記ＣＰＩＣＨのシンボルデータを基地局毎にタイミングをそろえて合成する機能と、基地局毎に合成された前記ＤＰＣＨのｐｉｌｏｔシンボルとＣＰＩＣＨのシンボルデータを１スロット単位でそれぞれ同相加算する機能と、前記１スロット単位で同相加算された前記ＤＰＣＨのｐｉｌｏｔシンボルと前記ＣＰＩＣＨのシンボルデータ間の位相差が正常な範囲内にあるか否かを確認する機能と、前記位相差が正常の範囲内にあるスロットの割合が予め設定したスロット区間において予め設定した目標値よりも大きいとき、前記基地局からの受信信号をＲａｋｅ合成の対象と判定する機能を備えた構成とすることができる。
【００１３】
あるいは、前記ＤＰＣＨ-ｐｉｌｏｔシンボル判定手段は、前記各逆拡散手段から出力される信号に含まれている前記ＤＰＣＨのＰｉｌｏｔシンボルと前記ＣＰＩＣＨのシンボルデータを１スロット単位でそれぞれ同相加算する機能と、前記１スロット単位で同相加算された前記ＤＰＣＨのｐｉｌｏｔシンボルと前記ＣＰＩＣＨのシンボルデータ間の位相差が正常な範囲内にあるか否かを確認する機能と、前記位相差が正常の範囲内にあるスロットの割合が予め設定したスロット区間において予め設定した目標値よりも大きいとき、当該逆拡散手段から出力される受信信号をＲａｋｅ合成の対象と判定する機能を備えた構成とすることができる。
【００１４】
あるいは、前記ＤＰＣＨ-ｐｉｌｏｔシンボル状態判定手段は、前記逆拡散手段から出力される信号に含まれている前記ＤＰＣＨのＰｉｌｏｔのシンボルデータを一定区間に亘って確認する機能と、前記ＤＰＣＨのＰｉｌｏｔのシンボルデータが正しい位置にある割合が前記一定区間において予め設定した目標値よりも大きいとき、当該逆拡散手段から出力される信号をＲａｋｅ合成の対象と判定する機能を備えた構成とすることができる。
【００１５】
また、本発明のソフトハンドオーバー制御方法は、基地局から送信される個別の物理チャネルであるＤＰＣＨ(Dedicated Physical Channel)および基地局内共通のパイロットチャネルであるＣＰＩＣＨ（Common Pilot Channel）を受信し、逆拡散およびＲａｋｅ合成すべき受信信号の複数のパスをサーチしてそれぞれの受信タイミングに合わせて前記受信した信号の逆拡散処理をそれぞれ行い、該逆拡散処理された複数の信号をＲａｋｅ合成する際に、前記逆拡散処理された信号にそれぞれ含まれているＤＰＣＨ-ｐｉｌｏｔシンボルの状態を判定することにより、Ｒａｋｅ合成すべき受信信号を選択することを特徴としている。
【００１６】
その際、前記逆拡散された各信号に含まれている前記ＤＰＣＨのＰｉｌｏｔシンボルと前記ＣＰＩＣＨのシンボルデータを基地局毎にタイミングをそろえて合成し、該合成された基地局毎の前記ＤＰＣＨのＰｉｌｏｔシンボルと前記ＣＰＩＣＨのシンボルデータを１スロット単位でそれぞれ同相加算し、該同相加算された前記ＤＰＣＨのｐｉｌｏｔシンボルと前記ＣＰＩＣＨのシンボルデータの位相差が正常な範囲内にあるか否かを確認し、該位相差が正常の範囲内にあるスロットの割合が予め設定したスロット区間において予め設定した目標値よりも大きいとき、当該基地局からの受信信号をＲａｋｅ合成の対象として選択する方法を採用することができる。
【００１７】
あるいは、前記逆拡散された各信号に含まれている前記ＤＰＣＨのＰｉｌｏｔシンボルと前記ＣＰＩＣＨのシンボルデータを１スロット単位でそれぞれ同相加算し、該同相加算された１スロット単位の前記ＤＰＣＨのｐｉｌｏｔシンボルと前記ＣＰＩＣＨのシンボルデータの位相差が正常な範囲内にあるか否かを確認し、該位相差が正常の範囲内にあるスロットの割合が予め設定したスロット区間において予め設定した目標値よりも大きいとき、当該基地局からの受信信号をＲａｋｅ合成の対象として選択する方法を採用することができる。
【００１８】
あるいは、前記逆拡散された各信号に含まれている前記ＤＰＣＨのＰｉｌｏｔのシンボルデータを一定区間に亘って確認し、前記ＤＰＣＨのＰｉｌｏｔのシンボルデータが正しい位置にある割合が前記一定区間において予め設定した目標値よりも大きいとき、当該基地局からの受信信号をＲａｋｅ合成の対象として選択する方法を採用することができる。
【発明の効果】
【００１９】
本発明によれば、合成対象の基地局として指定されているにもかかわらず、携帯端末にその基地局からのＤＰＣＨが届いていないような場合に、その基地局からの信号を合成することを避けることが可能となるので、ソフトハンドオーバー時における受信特性の劣化を防ぐことができる。
【００２０】
また、受信特性の劣化により端末側から必要以上のＤＰＣＨのパワーＵＰ要求を基地局が受けることが避けられるので、他の端末への干渉を押さえることができる。
【発明を実施するための最良の形態】
【００２１】
図１は、本発明の第１の実施形態を示す無線通信装置の要部ブロック図であり、受信信号からマルチパスのシンボルデータを合成する受信部の構成を示している。
【００２２】
本実施形態の無線通信端末における受信部は、アンテナ１０１を介して受信された信号に対してＡ／Ｄ変換を行うＲＦ部１０２と、変換後の信号について正しい受信タイミングを検出するパスサーチ回路１０３と、パスサーチ回路１０３で検出されたタイミング情報にあわせてＲＦ部１０２からの信号に定められた符号を掛け合わせ、チャネル推定、位相補正を行う逆拡散部１０４−１〜１０４−ｎと、各逆拡散部より送られる補正処理後の信号からＣＰＩＣＨとＤＰＣＨのＰｉｌｏｔシンボルが定められた正しい位相差となっているか否かを基地局単位、あるいは逆拡散部単位で確認し、正しい位相差となっている基地局からの逆拡散データ、あるいは正しい位相差となっている逆拡散部のデータのみを有効なシンボルデータと判断して選択し、有効な逆拡散部からのデータのみをＲａｋｅ合成して受信データを出力するＲａｋｅ合成部１０５とによって構成される。
【００２３】
そのためＲａｋｅ合成部１０５には、逆拡散部１０４−１〜１０４−ｎで逆拡散された信号から、ＣＰＩＣＨシンボルとＤＰＣＨのＰｉｌｏｔシンボルを抽出するＣＰＩＣＨ／ＤＰＣＨ-Ｐｉｌｏｔシンボル抽出手段１０５ｂと、抽出されたＣＰＩＣＨシンボルとＤＰＣＨのＰｉｌｏｔシンボルの位相差が予め設定した一定の角度以下の範囲に含まれるとき正しい位相差と判定する位相判定手段１０５ｃと、位相判定手段１０５ｃによる判定結果に基づいてＲａｋｅ合成すべきパスを選択するパス選択手段１０５ｄと、パス選択手段１０５ｄで選択された逆拡散部からの信号をＲａｋｅ合成し、受信データとして出力するＲａｋｅ合成手段１０５ａが含まれている。
【００２４】
図２は、ＣＰＩＣＨとＤＰＣＨのｐｉｌｏｔシンボルをＩＱ平面上で表したときのそれぞれの位相関係の例を示している。通常基地局では、ＣＰＩＣＨとＤＰＣＨのｐｉｌｏｔシンボルをＩＱ平面上で常に４５度に存在する信号として送信している。したがって、理想的な位相差は、図２（ａ）に示すようにシンボル差０になるが、実際に受信されて逆拡散されたＣＰＩＣＨとＤＰＣＨのｐｉｌｏｔシンボルは、図２（ｂ）に示すように位相差が生じ、レベルの低い信号程より大きな位相変動が生ずる。
【００２５】
例えば図２（ｂ）に示すように、ＣＰＩＣＨとＤＰＣＨのｐｉｌｏｔシンボルの位相差が±４５度を超えるような状況では、ＩＱ平面上で第二、第四象限のシンボル値と区別がつかなくなるので、正しい受信信号を得ることはできない。そこで、ＣＰＩＣＨを基準にしてＤＰＣＨのｐｉｌｏｔシンボルがどれだけ離れているかで正しい位相差であるか否かを判定する。実際には、マージンを取って位相差が±４５度よりも小さい一定の角度以下の値が正しい位相差として設定されるが、その値は実環境等で評価して調整される。
【００２６】
図３は、本実施形態におけるＲａｋｅ合成部の第１の実施例を示す動作フローチャートである。以下、図１、図３を参照して本実施形態の動作について説明する。但し、前提条件として本システムはＷ-ＣＤＭＡ通信を行う基地局と通信端末間の動作である。
【００２７】
まず、ソフトハンドオーバー中の対象基地局から送信された信号はアンテナ１０１を介してＲＦ部１０２で受信される。受信された信号はＲＦ部１０２によりＡ／Ｄ変換等の処理が行われ、Ａ／Ｄ変換処理後の信号はパスサーチ回路１０３と逆拡散部１０４−１〜１０４−ｎに入力される。パスサーチ回路１０３では各基地局から送信された信号を逆拡散部１０４−１〜１０４−ｎへのタイミング割り当て用にある符号との相関値を求める演算を実施してパスタイミングを検出し、そのタイミング情報を逆拡散部１０４−１〜１０４−ｎにそれぞれ通知する。
【００２８】
パスサーチ回路１０３よりパスタイミングの情報を受けた逆拡散部１０４−１〜１０４−ｎは、ＲＦ部１０２からの受信信号に対して、それぞれのパスタイミング情報で指定されたタイミングに合わせて、定められた符号を受信信号に掛け合わせて逆拡散処理、チャネル推定、位相補正を行う。逆拡散処理された受信信号は、Ｒａｋｅ合成部１０５に送られる。
【００２９】
各逆拡散部１０４−１〜１０４−ｎから信号を受け取ったＲａｋｅ合成部１０５では、ＣＰＩＣＨ／ＤＰＣＨ-Ｐｉｌｏｔシンボル抽出手段１０５ｂにおいて、逆拡散処理された信号から１スロット分のＤＰＣＨ-ＰｉｌｏｔシンボルデータとＣＰＩＣＨシンボルデータを抽出し、基地局毎にタイミングをそろえて合成する（ステップＡ１）。基地局毎に合成されたシンボルデータはさらに信頼性を高めるために、１スロット中のＤＰＣＨのＰｉｌｏｔシンボルとＣＰＩＣＨのシンボルデータをそれぞれ同相加算し（ステップＡ２，Ａ３）、加算結果を位相判定手段１０５ｃへ出力する。
【００３０】
位相判定手段１０５ｃでは、有効な基地局について同相加算された各ＤＰＣＨのＰｉｌｏｔとＣＰＩＣＨの二つの位相差を確認し、予め設定された角度以下の正しい位相差に存在しているか否かを判定する（ステップＡ４，Ａ５）。その結果二つの位相差が正しい角度で存在する場合（ステップＡ５，ＹＥＳ）には、その基地局用のカウンター値を＋１ＵＰし記録する（ステップＡ６）。正しくない場合（ステップＡ５，ＮＯ）はカウントＵＰを行わない。その後、実行スロット数を確認するため、無条件でスロットカウンターを＋１ＵＰする（ステップＡ７）。
【００３１】
次にステップＡ７で数えたスロットカウンターの値が予め設定した規定のスロット数を満たしたか否かを確認する（ステップＡ８）。スロットカウンターの値が規定のスロット数を満たしていないとき（ステップＡ８，ＮＯ）には、当該基地局から受信した次の１スロット分に対してステップＡ１からのフローを繰り返す。
【００３２】
ステップＡ７で数えたスロットカウンターの値が規定のスロット数を満たしたとき（ステップＡ８，ＹＥＳ）、ステップＡ６にて記録したカウント数を確認する（ステップＡ９）。ステップＡ６にて記録したカウント数が予め設定した目標値よりも大きい場合（ステップＡ１０，ＹＥＳ）は、その基地局から送信されているＤＰＣＨデータは信頼性の高いデータであるので、合成対象データと判定して合成対象データ情報を更新する（ステップＡ１１）。ステップＡ６にて記録したカウント数が予め設定した目標値よりも小さい場合（ステップＡ１０，ＮＯ）は、その基地局からのデータは合成対象データからは除外される。
【００３３】
ステップＡ１１で合成対象データを更新した後、他にも有効な基地局が存在し、かつ上記の判定処理が未だ実施されていない場合（ステップＡ１２，ＮＯ）は、すべての有効な基地局に対する判定処理が完了するまで、ステップＡ１よりの処理を再継続する。すべての有効な基地局に対して合成対象データを反映後、ステップＡ１１で更新された合成対象データ情報はパス選択手段１０５ｄへ通知される。
【００３４】
位相判定手段１０５ｃから合成対象の基地局通知を受けたパス選択手段１０５ｄは、逆拡散部１０４−１〜１０４−ｎの中から、合成対象通知を受けた基地局の受信信号を逆拡散処理している逆拡散部のＤＰＣＨデータを、他の基地局とのデータ合成用のデータとして選択する。Ｒａｋｅ合成手段１０５ａは、パス選択手段１０５ｄで選択されたすべての有効な基地局からのＤＰＣＨのシンボルデータを合成し、受信データとして出力する。
【００３５】
以上の制御により、基地局から送信されるＤＰＣＨの信頼性を、常に正しい位相差がわかるＣＰＩＣＨとＤＰＣＨのＰｉｌｏｔの位相差から判断することによって、受信特性の劣化要因となる基地局からのＤＰＣＨデータの合成を回避することが可能となる。
【００３６】
図４は、本実施形態におけるＲａｋｅ合成部の第２の実施例を示す動作フローチャートである。
【００３７】
図３に示す第１の実施例では、基地局毎で合成したデータにてＣＰＩＣＨとＤＰＣＨのＰｉｌｏｔシンボルデータ間の位相差を判定し、基地局毎で合成対象の有効無効を判定するとしていたのに対して、本実施例では、パスサーチ回路１０３にてタイミングを指定された逆拡散部１０４をパス毎に位相判定を実施し、パス毎について合成有効判定をする点で変更が加えられている。以下、図１、図４を参照して本実施形態の動作について説明する。
【００３８】
まず、ソフトハンドオーバー中の対象基地局から送信された信号はアンテナ１０１を介してＲＦ部１０２で受信される。受信された信号はＲＦ部１０２によりＡ／Ｄ変換等の処理が行われ、Ａ／Ｄ変換処理後の信号はパスサーチ回路１０３と逆拡散部１０４−１〜１０４−ｎに入力される。パスサーチ回路１０３では各基地局から送信された信号を逆拡散部１０４−１〜１０４−ｎへのタイミング割り当て用にある符号との相関値を求める演算を実施してパスタイミングを検出し、そのタイミング情報を逆拡散部１０４−１〜１０４−ｎにそれぞれ通知する。
【００３９】
パスサーチ回路１０３よりパスタイミングの情報を受けた逆拡散部１０４−１〜１０４−ｎは、ＲＦ部１０２からの受信信号に対して、それぞれのパスタイミング情報で指定されたタイミングに合わせて、定められた符号を受信信号に掛け合わせて逆拡散処理、チャネル推定、位相補正を行う。逆拡散処理された受信信号は、Ｒａｋｅ合成部１０５に送られる。
【００４０】
各逆拡散部１０４−１〜１０４−ｎから信号を受け取ったＲａｋｅ合成部１０５では、ＣＰＩＣＨ／ＤＰＣＨ-Ｐｉｌｏｔシンボル抽出手段１０５ｂにおいて、逆拡散処理された信号から１スロット分のＤＰＣＨ-ＰｉｌｏｔシンボルデータとＣＰＩＣＨシンボルデータをパス毎に抽出する（ステップＢ１）。パス毎に抽出されたシンボルデータはさらに信頼性を高めるために、１スロット中のＤＰＣＨのＰｉｌｏｔシンボルとＣＰＩＣＨのシンボルデータをそれぞれ同相加算し（ステップＡ２，Ａ３）、加算結果を位相判定手段１０５ｃへ出力する。
【００４１】
位相判定手段１０５ｃでは、パス毎に同相加算された１スロット中の各ＤＰＣＨのＰｉｌｏｔとＣＰＩＣＨの二つの位相差を確認し、予め設定された角度以下の正しい位相差に存在しているか否かを判定する（ステップＡ４，Ａ５）。その結果二つの位相差が正しい角度で存在する場合（ステップＡ５，ＹＥＳ）には、そのパス（逆拡散部）用のカウンター値を＋１ＵＰし記録する（ステップＢ２）。正しくない場合（ステップＡ５，ＮＯ）はカウントＵＰを行わない。その後、予め設定した実行スロット数を確認するため、無条件でスロットカウンターを＋１ＵＰする（ステップＡ７）。
【００４２】
次にステップＡ７で数えたスロットカウンターの値が規定のスロット数を満たしたか否かを確認する（ステップＡ８）。スロットカウンターの値が規定のスロット数を満たしていないとき（ステップＡ８，ＮＯ）には、当該パス（逆拡散部）から受信した次の１スロット分に対してステップＢ１からのフローを繰り返す。
【００４３】
ステップＡ７で数えたスロットカウンターの値が規定のスロット数を満たしたとき（ステップＡ８，ＹＥＳ）、ステップＢ２にて記録したカウント数を確認する（ステップＢ３）。ステップＢ２にて記録したカウント数が予め設定した目標値よりも大きい場合（ステップＡ１０，ＹＥＳ）は、そのパス（逆拡散部）からのＤＰＣＨデータは信頼性の高いデータであるので、合成対象データと判定して合成対象データ情報を更新する（ステップＡ１１）。ステップＢ２にて記録したカウント数が予め設定した目標値よりも小さい場合（ステップＡ１０，ＮＯ）は、そのパス（逆拡散部）からのデータは合成対象データからは除外される。
【００４４】
ステップＡ１１で合成対象データを更新した後、他にも有効なパス（逆拡散部）が存在し、同様の判定処理を実施していない場合（ステップＢ４，ＮＯ）は、すべての有効なパス（逆拡散部）の判定処理が完了するまで、ステップＢ１よりの処理を再継続する。すべての有効なパスに対して合成対象データを反映後、ステップＡ１１で更新された合成対象データ情報はパス選択手段１０５ｄへ通知される。
【００４５】
位相判定手段１０５ｃから合成対象パス（逆拡散部）の通知を受けたパス選択手段１０５ｄは、逆拡散部１０４−１〜１０４−ｎの中から、合成対象通知を受けた逆拡散部のＤＰＣＨデータを、他の合成対象パスとの合成用のデータとして選択する。Ｒａｋｅ合成手段１０５ａは、パス選択手段１０５ｄで選択されたすべての有効なパス（逆拡散部）からのＤＰＣＨのシンボルデータを合成し、受信データとして出力する。
【００４６】
本実施例では以上の処理変更をすることによって、基地局毎でなくパスアサイン別にシンボルデータの信頼性を判断することができるので、必要以上にデータを削除することを回避することが可能となる。
【００４７】
なお、上記各実施例において、逆拡散部１０４の数は設計上で自由に増減可能である。また、ステップＡ８で設定される累積スロット数、およびステップＡ１０で設定される目標値については特に制限はなく、最適なＲａｋｅ合成が実現されるように状況に応じて任意に設定可能である。
【００４８】
図５は、本発明の第２の実施形態を示す無線通信装置の要部ブロック図であり、受信信号からマルチパスのシンボルデータを合成する受信部の構成を示している。上記第１の実施形態では、基地局毎で合成したデータあるいはパス毎のデータにてＣＰＩＣＨとＤＰＣＨのＰｉｌｏｔの位相差を判定し、基地局毎あるいはパス毎で有効無効を判定したが、本実施形態では、ＣＰＩＣＨとの位相差を求めずに、ＤＰＣＨのＰｉｌｏｔシンボルデータが正しいことのみを直接確認し、基地局毎あるいはパス毎の有効無効判定を行っている
【００４９】
本実施形態の無線通信端末における受信部も、第１の実施形態と同様に、アンテナ１０１を介して受信された信号に対してＡ／Ｄ変換を行うＲＦ部１０２と、変換後の信号について正しい受信タイミングを検出するパスサーチ回路１０３と、パスサーチ回路１０３で検出されたタイミング情報にあわせてＲＦ部１０２からの信号に定められた符号を掛け合わせ、チャネル推定、位相補正を行う逆拡散部１０４−１〜１０４−ｎを備えているが、本実施形態のＲａｋｅ合成部２０５は、各逆拡散部より送られる補正処理後の信号から抽出されたＤＰＣＨのＰｉｌｏｔシンボルが正しい（既知のＤＰＣＨのＰｉｌｏｔシンボルと等しい）か否かを確認し、正しいＤＰＣＨのＰｉｌｏｔシンボルを出力している逆拡散部のデータのみ有効なシンボルデータと判断して選択し、有効な逆拡散部のデータのみをＲａｋｅ合成して受信データを出力する構成となっている。
【００５０】
そのためＲａｋｅ合成部２０５には、逆拡散部１０４−１〜１０４−ｎで逆拡散された信号から、ＤＰＣＨのＰｉｌｏｔシンボルを抽出するＤＰＣＨ-Ｐｉｌｏｔシンボル抽出手段２０５ｂと、抽出されたＤＰＣＨのＰｉｌｏｔシンボルを判定するＤＰＣＨ-Ｐｉｌｏｔシンボル判定手段２０５ｃと、位相判定手段１０５ｃで正しいと判定されたＤＰＣＨ-Ｐｉｌｏｔシンボルを出力している逆拡散部の出力を、Ｒａｋｅ合成すべきパスとして選択するパス選択手段２０５ｄと、パス選択手段２０５ｄで選択された逆拡散部からの信号をＲａｋｅ合成するＲａｋｅ合成手段２０５ａが含まれている。
【００５１】
図６は、本実施形態におけるＲａｋｅ合成部の第１の実施例を示す動作フローチャートである。以下、図５、図６を参照して本実施形態の動作について説明する。
【００５２】
ソフトハンドオーバー中の対象基地局から送信された信号はアンテナ１０１を介してＲＦ部１０２で受信される。受信された信号はＲＦ部１０２によりＡ／Ｄ変換等の処理が行われ、Ａ／Ｄ変換処理後の信号はパスサーチ回路１０３と逆拡散部１０４−１〜１０４−ｎに入力される。パスサーチ回路１０３では各基地局から送信された信号を逆拡散部１０４−１〜１０４−ｎへのタイミング割り当て用にある符号との相関値を求める演算を実施してパスタイミングを検出し、そのタイミング情報を逆拡散部１０４−１〜１０４−ｎにそれぞれ通知する。
【００５３】
パスサーチ回路１０３よりパスタイミングの情報を受けた逆拡散部１０４−１〜１０４−ｎは、ＲＦ部１０２からの受信信号に対して、それぞれのパスタイミング情報で指定されたタイミングに合わせて、定められた符号を受信信号に掛け合わせて逆拡散処理、チャネル推定、位相補正を行う。逆拡散処理された受信信号は、本実施形態のＲａｋｅ合成部２０５に送られる。
【００５４】
各逆拡散部１０４−１〜１０４−ｎから信号を受け取ったＲａｋｅ合成部２０５では、ＤＰＣＨ-Ｐｉｌｏｔシンボル抽出手段２０５ｂにおいて、逆拡散処理された信号から１スロット分のＤＰＣＨ-Ｐｉｌｏｔシンボルデータをパス毎に抽出する（ステップＣ１）。パス毎に抽出されたＤＰＣＨ-Ｐｉｌｏｔシンボルデータはさらに信頼性を高めるために、１スロット中のＤＰＣＨのＰｉｌｏｔシンボルデータを加算し（ステップＣ２）、加算結果をＤＰＣＨ-Ｐｉｌｏｔシンボル判定手段２０５ｃへ出力する。
【００５５】
ＤＰＣＨ-Ｐｉｌｏｔシンボル判定手段２０５ｃでは、パス毎に加算された１スロット中のＤＰＣＨ-Ｐｉｌｏｔシンボルの値を確認し、予め設定された範囲の値となっているか否かを判定する（ステップＣ３，Ｃ４）。その結果パス毎に加算された１スロット中のＤＰＣＨ-Ｐｉｌｏｔシンボルの値が予め設定された範囲の値となっている場合（ステップＣ４，ＹＥＳ）には、そのパス（逆拡散部）用のカウンター値を＋１ＵＰし記録する（ステップＣ５）。正しくない場合（ステップＣ４，ＮＯ）はカウントＵＰを行わない。その後、予め設定した実行スロット数を確認するため、無条件でスロットカウンターを＋１ＵＰする（ステップＣ６）。
【００５６】
次にステップＣ６で数えたスロットカウンターの値が規定のスロット数を満たしたか否かを確認する（ステップＣ７）。スロットカウンターの値が規定のスロット数を満たしていないとき（ステップＣ７，ＮＯ）には、当該パス（逆拡散部）から受信した次の１スロット分に対してステップＣ１からのフローを繰り返す。
【００５７】
ステップＣ６で数えたスロットカウンターの値が規定のスロット数を満たしたとき（ステップＣ７，ＹＥＳ）、ステップＣ５にて記録したカウント数を確認する（ステップＣ８）。ステップＣ５にて記録したカウント数が予め設定した目標値よりも大きい場合（ステップＣ９，ＹＥＳ）は、そのパス（逆拡散部）からのＤＰＣＨデータは信頼性の高いデータであるので、合成対象データと判定して合成対象データ情報を更新する（ステップＣ１０）。ステップＣ５にて記録したカウント数が予め設定した目標値よりも小さい場合（ステップＣ９，ＮＯ）は、そのパス（逆拡散部）からのデータは合成対象データからは除外される。
【００５８】
ステップＣ１０で合成対象データを更新した後、他にも有効なパス（逆拡散部）が存在し、同様の判定処理を実施していない場合（ステップＣ１１，ＮＯ）は、すべての有効なパス（逆拡散部）の判定処理が完了するまで、ステップＣ１よりの処理を再継続する。すべての有効なパスに対して合成対象データを反映後、ステップＣ１０で更新された合成対象データ情報はパス選択手段２０５ｄへ通知される。
【００５９】
ＤＰＣＨ-Ｐｉｌｏｔシンボル判定手段２０５ｃから合成対象パス（逆拡散部）の通知を受けたパス選択手段２０５ｄは、逆拡散部１０４−１〜１０４−ｎの中から、合成対象通知を受けた逆拡散部のＤＰＣＨデータを、他の合成対象パスとの合成用のデータとして選択する。Ｒａｋｅ合成手段２０５ａは、パス選択手段２０５ｄで選択されたすべての有効なパス（逆拡散部）からのＤＰＣＨのシンボルデータを合成し、受信データとして出力する。
【００６０】
なお、図６に示す実施例では、パスサーチ回路１０３にてタイミングを指定された逆拡散部１０４−１〜１０４−ｎのパス毎にＤＰＣＨ-Ｐｉｌｏｔシンボル判定を実施し、パス毎について合成有効判定を行っているが、図３に示す実施例のように、基地局毎で合成したＤＰＣＨのＰｉｌｏｔシンボルデータを判定し、基地局毎で合成対象の有効無効を判定する構成とすることもできる。
【００６１】
また、本発明におけるＲａｋｅ合成部１０５あるいは２０５の機能を実行するためのプログラムをこの無線通信端末に内蔵されているメモリに格納しておき、この無線通信端末に内蔵されている制御部（ＣＰＵ）がこのプログラムをメモリから読み出して上記機能を実行することにより実現することができる。
【図面の簡単な説明】
【００６２】
【図１】本発明の第１の実施形態を示す無線通信装置の要部ブロック図である。
【図２】ＣＰＩＣＨとＤＰＣＨのｐｉｌｏｔシンボルのそれぞれの位相関係を説明するための図である。
【図３】第１の実施形態におけるＲａｋｅ合成部の第１の実施例を示す動作フローチャートである。
【図４】第１の実施形態におけるＲａｋｅ合成部の第２の実施例を示す動作フローチャートである。
【図５】本発明の第２の実施形態を示す無線通信装置の要部ブロック図である。
【図６】第２の実施形態におけるＲａｋｅ合成部の実施例を示す動作フローチャートである。
【符号の説明】
【００６３】
１０１  アンテナ
１０２  ＲＦ部
１０３  パスサーチ回路
１０４-１〜１０４-ｎ  逆拡散部
１０５，２０５  Ｒａｋｅ合成部
１０５ａ，２０５ａ  Ｒａｋｅ合成手段
１０５ｂ  ＣＰＩＣＨ／ＤＰＣＨ-Ｐｉｌｏｔシンボル抽出手段
１０５ｃ  位相判定手段
１０５ｄ，２０５ｄ  パス選択手段
２０５ｂ  ＤＰＣＨ-Ｐｉｌｏｔシンボル抽出手段
２０５ｃ  ＤＰＣＨ-Ｐｉｌｏｔシンボル判定手段
【図１】
2008061190.tif 000003
【図２】
2008061190.tif 000004
【図３】
2008061190.tif 000005
【図４】
2008061190.tif 000006
【図５】
2008061190.tif 000007
【図６】
2008061190.tif 000008